(57)【要約】      （修正有）【課題】スイッチ内のばねが壊れていても、スイッチを確実にオフにし、点検作業中にはエレベータのかごを固定し停止させる。【解決手段】スイッチ機構は、ロック棒２７が固定機構５に係止されたときにかごの駆動装置の電源をオフにし、操作機構３のロック棒２７と固定機構５の係止が解除されてロック棒２７が退行復帰した後に電源をオンにするリミットスイッチ３５を備える。ロック棒２７が進行したときの第１状態および退行したときの第２状態の間でロック棒２７に係合してロック棒の進退動作に伴う状態の変化に追従して、ロック棒２７が第１状態となっているときに電源をオフのまま維持する状態維持手段を備える。状態維持手段は、ローラ３５ａと、カム機構４１とを備え、カム機構４１は、ロック棒２７の後端部に固定されてロック棒２７の進行方向への移動に伴いローラ３５ａを後退方向に付勢するように案内してリミットスイッチ３５内部の接点をオフさせる。【選択図】図１
2009040570.tif 000002
【特許請求の範囲】
【請求項１】
昇降路内のガイドレールに案内されて昇降するエレベータかごから前記昇降路の静止部側へ長手方向に進退可能なロック棒によりかごの固定と解除を可能にする操作機構と、
前記ロック棒が前記静止部側に進行したときに前記ロック棒の先端部を係止するために前記静止部側に設けられた固定機構と、
前記固定機構が前記ロック棒の先端部を係止したときにエレベータかごの駆動装置の電源をオフにするスイッチ機構と、を備え、
前記スイッチ機構は、
前記ロック棒が前記固定機構に係止されたときに前記エレベータかごの駆動装置の電源をオフにすると共に、前記操作機構のロック棒と前記固定機構の係止が解除されて前記ロック棒が前記エレベータかご側に退行復帰した後に前記駆動装置の電源をオンにするリミットスイッチと、
前記ロック棒が進行したときの第１状態および退行したときの第２状態の間で前記ロック棒の一部分に係合して前記ロック棒の進退動作に伴う２つの状態の変化に追従すると共に、前記ロック棒が前記第１状態となっているときに前記駆動装置の電源をオフのまま維持する状態維持手段と、
を備えることを特徴とするエレベータのかご固定装置。
【請求項２】
前記リミットスイッチは、前記ロック棒の後端部側に配置されると共に、
前記状態維持手段は、前記リミットスイッチの前記ロック棒側の端部に揺動自在に基端側が固定されたロッドの先端に回転自在に軸支されたローラと、前記ロック棒の後端部に固定されて前記ロック棒の進行方向への移動に伴い前記ローラを後退方向に付勢するように案内して前記リミットスイッチの接点を強制的にオフさせると共にこのオフの状態を維持させるカム機構と、を備えることを特徴とする請求項１に記載のエレベータかごの固定装置。
【請求項３】
前記リミットスイッチは、前記ロック棒の前端部側に前記ロック棒の延在する方向と直交する方向に延在するように配置されると共に、
前記状態維持手段は、前記リミットスイッチの前記ロック棒側の端部に揺動自在に基端側が固定されたロッドの先端に回転自在に軸支されたローラを備え、前記ローラは、前記ロック棒の後退時は前記ロック棒の前端部に当接し、前記ロック棒の進行に伴って回転しながら前記ロック棒の周面により前記ロック棒から離隔する方向に前記ロッドを付勢することにより前記リミットスイッチの接点を強制的にオフさせると共にこのオフの状態を維持させることを特徴とする請求項１に記載のエレベータかごの固定装置。
【請求項４】
前記操作機構は、前記エレベータかごに固定されると共に前記ロック棒を進退動自在に保持するブラケットと、前記ロック棒を前記第１状態と前記第２状態のそれぞれで位置決めする位置ずれ防止ピンと、を備えることを特徴とする請求項１に記載のエレベータかごの固定装置。
【請求項５】
前記リミットスイッチは、前記ロック棒の後端部側に配置されると共に、
前記状態維持手段は、前記リミットスイッチの前記ロック棒側の端部に揺動自在に基端側が固定されたロッドの先端に回転自在に軸支されたローラと、前記ロック棒の後端部側の周面の一部に形成された傾斜案内面により前記ロック棒の進行方向への移動に伴う前記ローラを後退方向に付勢するように案内して前記リミットスイッチの接点を強制的にオフさせると共にこのオフの状態を維持させるカム面と、を備えることを特徴とする請求項１に記載のエレベータかごの固定装置。
【請求項６】
前記リミットスイッチは、前記ロック棒の後端部側に配置されると共に、
前記状態維持手段は、前記リミットスイッチの前記ロック棒側の端部に揺動自在に基端側が固定されたロッドの先端に回転自在に軸支されたローラと、前記ロック棒の後端部に一端が固定されると共に他端が前記ローラに固定された紐状部材と、を備え、
前記ロック棒の進行方向への移動に伴い前記紐状部材が前記ローラを進行方向に牽引することにより前記リミットスイッチの接点を強制的にオフさせると共にこのオフの状態を維持させることを特徴とする請求項１に記載のエレベータかごの固定装置。
【発明の詳細な説明】
【技術分野】
【０００１】
本発明は、エレベータのかご固定装置に関し、特に、機械室なしエレベータなど昇降路内で保守点検作業を行なう必要のあるエレベータのかごを確実に固定し停止させるエレベータのかご固定装置に関する。
【背景技術】
【０００２】
一般に、多くのエレベータは、利用者が乗るエレベータかご（以下、かごとする）と、かごを昇降させる巻上磯と、かごとのバランスを取る釣合いおもりと、巻上磯に巻回されてかごと釣合いおもりとを結合するロープと、エレベータ全体の動作を制御する制御装置とから構成されたロープ式エレベータである。ロープ式エレベータの設置スペースとしては、エレベータかごの昇降路と、巻上機や制御装置（制御盤）を収納する機械室とが必要であり、機械室は、昇降路の最上部に設けられる。
【０００３】
ところが、マンション等の集合住宅では、日照権などの建築条件の関係から、建物の最上部に充分な機械室スペースを確保できない場合がある。そこで、機械室用スペースを不要とした機械室なしエレベータが従来から提案されている（例えば、特許文献１参照）。
【０００４】
図６は、従来の機械室なしエレベータの一例を示す斜視図である。図６に示すエレベータ停止ロック装置は、かご１天井部の上梁２に設けた操作機構３と、かご側ガイドレール４を昇降路１１の壁に固定する固定部に設けた固定機構５とからなり、吊りロープ式の機械室なしエレベータに適用されている。また、図１に示す停止ロック装置が適用されるエレベータには、機械室は設けられていないが、通常の吊りロープ式の機械室なしエレベータの機械室に設置されるべき巻上機等の機器は、昇降路１１の頂部に至る壁側とかご１の投影面との隙間に設置されている。すなわち、図１において、巻上機１０は、昇降路１１の天井に近い位置に支持固定されている。この巻上機１０は、かご１および釣合いおもり６をロープ７により昇降駆動する電動機等の駆動装置８と、トラクションシーブ９とを備える。ロープ７の両端部には、かご１と釣合いおもり６とが吊されている。
【０００５】
この機械室なしエレベータにおいては、かご１を駆動する駆動装置や制御装置が昇降路１１内に設置されるため、駆動装置や制御装置の保守点検を行なうときには、かご１の天井の上に乗り行なうことになる。このとき、保守点検中に急にかご１が動き始めると、かご１の上で作業をしている作業員の安全を確保できない虞があるので、かご１の昇降動作を完全に停止させるためのかご固定装置が設置されている。
【０００６】
図７は、従来のかご固定装置の（ａ）平面図、（ｂ）正面図、（ｃ）斜視図である。また、図８は、従来のかご固定装置の固定機構の（ａ）正面図、（ｂ）平面図である。図６および図７において、操作機構３はかご１の天井部に設置されて、保守点検の際、作業員により操作される。操作機構３は、第１〜第３のブラケット２４〜２６、ロック棒２７、操作レバー２８、操作レバー連結軸２９、固定用ナット３０、固定用ボルト３１、固定用ナット３２、上梁固定用ボルト３３、上梁固定用ナット３４および電源オフ手段としてリミットスイッチ３５を備える。
【０００７】
固定機構５はレール４に取り付けられており、図８に示すように操作機構３のロック棒２７が挿入できるロック棒挿入穴３６ａがあいている。作業員は、かご上で保守点検を行なう際には操作機構３を操作してロック棒２７を固定機構５の挿入穴３６ａに挿入することによりかごを固定することができる。ロック棒２７を動かす時には操作レバー２８を上に持ち上げてブラケット２５の溝部２５ｂからはずれた状態で横方向にスライドさせ溝部２５ａにレバー２８を嵌合させる。
【０００８】
操作機構３のブラケット２６には、内部に接点接離機構を有するリミットスイッチ３５が取付けられている。このリミットスイッチ３５は、レバーにより回動可能に支持されてロック棒２７の端部に当接するように位置決めされたローラ３５ａを有する。リミットスイッチ３５のリード線は、巻上機１０を制御する制御装置４０の電源回路４０ａに接続されている。ロック棒２７の端部の移動に伴いローラ３５ａが移動すると、リミットスイッチ３５内部の接点接離機構は、その中に組み込まれたばねの力により開閉し、これにより電源回路４０ａをオン・オフするようになっている。
【０００９】
通常は、ロック棒２７が退行方向にローラ３５ａを押している状態でスイッチ３５は電源回路４０ａをオンしており、かご固定装置が操作されてロック棒２７が進行してロック棒結合部材３６に結合している状態では、ロック棒２７が移動するためスイッチ３５のばねの力によりローラ３５ａが接点解除方向に動いてスイッチ３５は電源回路４０ａをオフにする。
【特許文献１】特開２０００−２０３７７４号公報
【発明の開示】
【発明が解決しようとする課題】
【００１０】
しかしながら、上述した従来技術においては、ロック棒２７が固定機構５に挿入されているときにはリミットスイッチ３５の接点接離機構がバネ力により開いた状態で電源回路４０ａをオフすることができるが、スイッチの中のばねが壊れてしまったときには電源回路をオフできなくなる虞があり、駆動装置が動作する可能性があるという問題がある。
【００１１】
本発明は、かご固定装置を操作したときに、たとえリミットスイッチ内のばねに異常があったとしても確実にスイッチをオフにすることにより、点検作業中にエレベータのかごを確実に固定し停止させるかご固定装置を提供することを目的とする。  
【課題を解決するための手段】
【００１２】
上記課題を解決するため、本発明に係るエレベータのかご固定装置は、昇降路内のガイドレールに案内されて昇降するエレベータかごから前記昇降路の静止部側へ長手方向に進退可能なロック棒によりかごの固定と解除を可能にする操作機構と、前記ロック棒が前記静止部側に進行したときに前記ロック棒の先端部を係止するために前記静止部側に設けられた固定機構と、前記固定機構が前記ロック棒の先端部を係止したときにエレベータかごの駆動装置の電源をオフにするスイッチ機構と、を備え、前記スイッチ機構は、前記ロック棒が前記固定機構に係止されたときに前記エレベータかごの駆動装置の電源をオフにすると共に、前記操作機構のロック棒と前記固定機構の係止が解除されて前記ロック棒が前記エレベータかご側に退行復帰した後に前記駆動装置の電源をオンにするリミットスイッチと、前記ロック棒が進行したときの第１状態および退行したときの第２状態の間で前記ロック棒の一部分に係合して前記ロック棒の進退動作に伴う２つの状態の変化に追従すると共に、前記ロック棒が前記第１状態となっているときに前記駆動装置の電源をオフのまま維持する状態維持手段と、を備えることを特徴とする。
【００１３】
本発明に係るエレベータかごの固定装置は、上記構成のものにおいて、前記リミットスイッチは、前記ロック棒の後端部側に配置されると共に、前記状態維持手段は、前記リミットスイッチの前記ロック棒側の端部に揺動自在に基端側が固定されたロッドの先端に回転自在に軸支されたローラと、前記ロック棒の後端部に固定されて前記ロック棒の進行方向への移動に伴い前記ローラを後退方向に付勢するように案内して前記リミットスイッチの接点を強制的にオフさせると共にこのオフの状態を維持させるカム機構と、を備えることを特徴とする。
【００１４】
本発明に係るエレベータかごの固定装置は、上記構成のものにおいて、前記リミットスイッチは、前記ロック棒の前端部側に前記ロック棒の延在する方向と直交する方向に延在するように配置されると共に、前記状態維持手段は、前記リミットスイッチの前記ロック棒側の端部に揺動自在に基端側が固定されたロッドの先端に回転自在に軸支されたローラを備え、前記ローラは、前記ロック棒の後退時は前記ロック棒の前端部に当接し、前記ロック棒の進行に伴って回転しながら前記ロック棒の周面により前記ロック棒から離隔する方向に前記ロッドを付勢することにより前記リミットスイッチの接点を強制的にオフさせると共にこのオフの状態を維持させることを特徴とする。
【００１５】
本発明に係るエレベータかごの固定装置は、上記構成のものにおいて、前記操作機構は前記エレベータかごに固定されると共に前記ロック棒を進退動自在に保持するブラケットと、前記ロック棒を前記第１状態と前記第２状態のそれぞれで位置決めする位置ずれ防止ピンと、を備えることを特徴とする。
【００１６】
本発明に係るエレベータかごの固定装置は、上記構成のものにおいて、前記リミットスイッチは、前記ロック棒の後端部側に配置されると共に、前記状態維持手段は、前記リミットスイッチの前記ロック棒側の端部に揺動自在に基端側が固定されたロッドの先端に回転自在に軸支されたローラと、前記ロック棒の後端部側の周面の一部に形成された傾斜案内面により前記ロック棒の進行方向への移動に伴う前記ローラを後退方向に付勢するように案内して前記リミットスイッチの接点を強制的にオフさせると共にこのオフの状態を維持させるカム面と、を備えることを特徴とする。
【００１７】
本発明に係るエレベータかごの固定装置は、上記構成のものにおいて、前記リミットスイッチは、前記ロック棒の後端部側に配置されると共に、前記状態維持手段は、前記リミットスイッチの前記ロック棒側の端部に揺動自在に基端側が固定されたロッドの先端に回転自在に軸支されたローラと、前記ロック棒の後端部に一端が固定されると共に他端が前記ローラに固定された紐状部材と、を備え、前記ロック棒の進行方向への移動に伴い前記紐状部材が前記ローラを進行方向に牽引することにより前記リミットスイッチの接点を強制的にオフさせると共にこのオフの状態を維持させることを特徴とする。
【発明の効果】
【００１８】
本発明によれば、点検作業中にエレベータのかごが確実に固定され停止される。
【発明を実施するための最良の形態】
【００１９】
以下、添付図面を参照しながら本発明に係るエレベータのかご固定装置の実施形態について詳細に説明する。
【００２０】
［第１実施形態］
第１実施形態に係るエレベータのかご固定装置は、操作機構３と、固定機構５と、スイッチ機構としてのリミットスイッチ３５、を備えている。操作機構３は、昇降路内のガイドレールに案内されて昇降するエレベータかごから昇降路の静止部側へ長手方向に進退可能なロック棒によりかごの固定と解除を可能にする。固定機構５は、ロック棒が静止部側に進行したときにロック棒の先端部を係止するために静止部側に設けられている。スイッチ機構は、固定機構がロック棒の先端部を係止したときにエレベータかごの駆動装置の電源をオフにする。
【００２１】
スイッチ機構は、図１（ａ）に示すように、ロック棒２７が固定機構５に係止されたときにエレベータかごの駆動装置の電源をオフにすると共に、操作機構３のロック棒２７と固定機構５の係止が解除されてロック棒２７がエレベータかご側に退行復帰した後に前記駆動装置の電源をオンにするリミットスイッチ３５を備える。また、スイッチ機構は、ロック棒２７が進行したときの第１状態（図１（ｃ））および退行したときの第２状態（図１（ｂ））の間でロック棒２７の一部分に係合して前記ロック棒の進退動作に伴う２つの状態の変化に追従すると共に、ロック棒２７が第１状態となっているときに駆動装置の電源をオフのまま維持する状態維持手段と、を備える。
【００２２】
この第１実施形態においては、リミットスイッチ３５は、ロック棒２７の後端部側に配置されている。また、状態維持手段は、ローラ３５ａと、カム機構４１と、を備える。ローラ３５ａは、リミットスイッチ３５のロック棒２７側の端部に揺動自在に基端側が固定されたロッドの先端に回転自在に軸支されている。カム機構４１は、ロック棒２７の後端部に固定されてロック棒２７の進行方向への移動に伴いローラ３５ａを後退方向に付勢するように案内してリミットスイッチ３５内部の図示されない接点を強制的にオフさせると共にこのオフの状態を維持させる。
【００２３】
さらに詳細な構成について図１（ａ）〜（ｃ）を参照して説明する。図１は、本発明の第１実施形態に係るエレベータのかご固定装置の（ａ）かご固定動作前の平面図、（ｂ）かご固定動作前の正面図、（ｃ）かご固定動作後の正面図をそれぞれ示している。
【００２４】
図１において、ロック棒２７の後端部には、ボルト３２、ナット３３、ばね座４４、平座４５により、状態維持手段としてのカム４１がリミットスイッチ３５のローラ３ａに被さるように、取り付けられている。このときカム４１を取り付けているボルト３２、ナット３３、ばね座４４、平座４５には適当な隙間が設けられており、カム４１はロック棒２７に対して回転可能となっている。
【００２５】
また、このときローラ３５ａはカム４１に接しておらず、リミットスイッチ３５はオンの状態となっている。そして、かご固定装置を操作する場合、ロック棒２７の端部の移動に伴いカム４１が移動すると、カム４１はローラ３５ａに当接してローラ３５ａを移動させ。リミットスイッチ３５をオフするようになっている。ここで、ロック棒２７を移動させるときに、操作レバー２８を溝２５ｂとの係合から外すために上に持ち上げる。
【００２６】
この結果、ロック棒２７は回転動作をすることになるが、カム４１は前述のようにロック棒２７に対して回転可能に取り付けられているため、ロック棒の動きに追従することができる。ロック棒２７を戻したときには、ローラ３５ａはリミットスイッチ３５に組み込まれたばねの力により移動しスイッチはオンする。このように、カム機構を用いることにより、リミットスイッチ３５内のばねが壊れているなど異常なときにも確実に電源回路をオフさせることができる。
【００２７】
また、ばねが壊れている状態でかご固定装置を戻したときに、リミットスイッチはオフ状態を維持したままであるが、この状態の維持はフェールセーフの考え方に基づいているため、システムとしては安全側の状態となる。
【００２８】
［第２実施形態］
図２は、本発明の第２実施形態のエレベータのかご固定装置の固定動作前の状態を示す（ａ）平面図、（ｂ）正面図である。
【００２９】
基本的な構成は第１実施形態と同様であるが、第２実施形態においては、リミットスイッチ３５の取り付け位置およびローラ３５ａの取り付け状態が異なると共に、状態維持手段がカム機構ではなくローラ３５ａとロック棒の周面である点で異なる。すなわち、図２（ａ）（ｂ）に示すように、リミットスイッチ３５は、ロック棒２７の進行方向の前端部側でロック棒２７の延在する方向（図中、水平方向）と直交する方向（同、垂直方向）に延在するように配置される。また、状態維持手段は、リミットスイッチ３５のロック棒２７側の端部（図中、上端部）に揺動自在に基端側が固定されたロッドの先端に回転自在に軸支されたローラ３５である。このローラ３５は、ロック棒２７の後退時はロック棒２７の前端部に当接し、ロック棒２７の進行に伴って回転しながらロック棒の周面により前記ロック棒から離隔する方向にロッドを付勢する。これにより、リミットスイッチ３５内部の接点は強制的にオフさせられ、このオフの状態はロック棒２７の周面がローラ３５ａを押圧することで維持される。
【００３０】
詳細な構成について、図２（ａ）（ｂ）を用いて、説明する。リミットスイッチ３５はたて柱１１に取り付けられたブラケット４６に取り付けられ、ロック棒２７の前端部に当接するように設置される。この状態でリミットスイッチ３５はオンしている。ここで、かご固定装置を操作するときに、ロック棒２７の前端部の移動に伴い、ローラ３５ａが回転しながら下方へ押圧されるように動いて引き続いてロック棒２７の周面により下方に押圧されることにより、リミットスイッチ３５をオフするようになっている。
【００３１】
ロック棒２７を後退方向に戻したときには、ローラ３５ａはリミットスイッチ３５の内部に組み込まれた図示されないばねの力により移動してスイッチはオンされる。このような機構を用いることにより、リミットスイッチ３５内のばねが壊れていた場合でも確実に電源回路をオフさせることができる。
【００３２】
［第３実施形態］
第３実施形態では、操作機構３の基本的構成は第１実施形態と同じであるが、ロック棒２７の進退動作が異なる。
【００３３】
図３（ａ）（ｂ）に示すように、操作機構３は、エレベータかご天井部の上梁２に固定されたブラケット２４を備えている。このブラケット２４は、ロック棒２７を進退動自在に保持する。また、位置ずれ防止ピン４９が設けられ、ロック棒２７が固定機構５側に進行した第１状態と、ロック棒２７が退行した第２状態とのそれぞれの位置でロック棒２７を位置決めする構成となっている。
【００３４】
詳細には、第１実施形態ではロック棒２７を移動させる際に、溝２５ｂから操作レバー２８の係合を解除するために、ロック棒２７を回転してスライドさせていたが、第３実施形態ではブラケット２５の溝２５ｃは１つであり、ロック棒２７の動作はスライド運動のみとなり、回転運動を行わせる必要がなくなる。具体的な位置決め方法としては、ブラケット２４およびロック棒２７に位置決め用の穴を２箇所（通常時用、かご固定装置動作時用）に設けておいて、位置ずれ防止ピン４９をロック棒２７に差し込むことにより、ロック棒２７の位置決めをすると共に、ロック棒２７の位置ずれを防止している。
【００３５】
ロック棒２７の後端部には、カム５０がボルト４２により取り付けられている。ロック棒２７が回転しないようにするため、カム５０の形状は第１実施形態のように、ローラ３５ａの周面または側部のずれを防止する構成を設ける必要がなくなり、カム５０の取り付けもボルトのみの簡素化された構造を実現できる。
【００３６】
［第４実施形態］
第４実施形態は操作機構３の基本的な構成が第３実施形態と同じであるが、図４（ａ）（ｂ）に示すように、リミットスイッチ３５を動作させるカムの形状が異なる。
【００３７】
図４（ａ）（ｂ）に示すように、リミットスイッチ３５は、ロック棒２７の後端部側に配置される。状態維持手段は、リミットスイッチ３５のロック棒２７側の端部に揺動自在にその基端側が固定されたロッドの先端に回転自在に軸支されたローラ３５ａと、ロック棒２７の周面に形成されたローラを後退方向に付勢するように案内するカム面としての溝２７ａと、を備える。
【００３８】
溝２７ａは、ロック棒２７の後端部側の周面の一部に形成された傾斜案内面により、ロック棒２７の進行方向への移動に伴うローラ３５ａを後退方向に付勢するように案内している。これにより、溝２７ａのカム面は、リミットスイッチ３５の図示されない接点を強制的にオフさせると共にこのオフの状態を維持させる。
【００３９】
ロック棒２７の後端側の周面の下部には、斜めに切削された溝２７ａが設けられて、リミットスイッチ３５に設けられたローラ３５ａがこの溝２７ａの中に納まるように設けられており、溝２７ａはカム面としての役割を果たしている。ロック棒２７にカムの機能を盛り込むことにより部品点数の削減や、省スペース化を図ることができる。
【００４０】
［第５実施形態］
第５実施形態は、操作機構３の基本的な構成は第１または第３実施形態と同じであり、リミットスイッチ３５を動作させるためにカムの変わりに紐状部材を用いることを特徴とする。
【００４１】
図５（ａ）（ｂ）において、リミットスイッチ３５は、ロック棒２７の後端部側に配置されている。状態維持手段は、ローラ３５ａと、紐状部材５１と、を備えている。ローラ３５ａは、リミットスイッチ３５のロック棒２７側の端部に揺動自在に基端側が固定されたロッドの先端に回転自在に軸支されている。紐状部材５１は、ロック棒２７の後端部に一端が固定されると共に他端がローラ３５ａに固定されている。紐状部材５１は、ロック棒２７の進行方向への移動に伴い、ローラ３５ａを進行方向に牽引することによりリミットスイッチ３５の図示されない接点を強制的にオフさせて、このオフの状態を維持させる構成を備える。
【００４２】
詳細な構成を説明すると、図５（ａ）（ｂ）において、ロック棒２７の後端部には、固定用のボルト５２によりナイロンの紐状部材５１の一端が固定されており、紐状部材５１の他端はリミットスイッチ３５のローラ３５ａに連結されている。ローラ３５ａは、第１実施形態と同様に、ロッドを介してリミットスイッチ３５の一端に連結されている。
【００４３】
以上の構成における動作を説明する。かご固定装置の操作機構３を操作する場合、ロック棒２７の端部の移動に伴い、紐状部材５１によりローラ３５ａが牽引されてリミットスイッチ３５をオフするようになっている。また、紐状部材５１の牽引によりローラ３５ａが第２状態を維持することにより、リミットスイッチ３５のオフ状態も維持される。
【００４４】
ロック棒２７を第１状態に戻したときには、ローラ３５ａはリミットスイッチ３５に組み込まれたばねの力により内部の接点を移動させてスイッチはオンとなる。このような機構を用いることにより、リミットスイッチ３５内部に設けられたばねが壊れているときでも確実に回路をオフさせることができる。
【図面の簡単な説明】
【００４５】
【図１】第１実施形態のエレベータのかご固定装置の（ａ）動作前の平面図、（ｂ）動作前の正面図、（ｃ）動作後の正面図である。
【図２】第２実施形態の動作前の（ａ）平面図、（ｂ）正面図である。
【図３】第３実施形態の動作前の（ａ）平面図、（ｂ）正面図である。
【図４】第４実施形態の動作前の（ａ）平面図、（ｂ）正面図である。
【図５】第５実施形態の動作前の（ａ）平面図、（ｂ）正面図である。
【図６】従来の機械室なしエレベータの一例を示す斜視図である。
【図７】従来のかご固定装置の（ａ）平面図、（ｂ）正面図、（ｃ）斜視図である。
【図８】従来のかご固定装置の固定機構の（ａ）正面図、（ｂ）平面図である。
【符号の説明】
【００４６】
３  操作機構
５  固定機構
２７  ロック棒
３５  スイッチ機構（リミットスイッチ）
３５ａ  ローラ
４１  状態維持手段（カム機構）
【図１】
2009040570.tif 000003
【図２】
2009040570.tif 000004
【図３】
2009040570.tif 000005
【図４】
2009040570.tif 000006
【図５】
2009040570.tif 000007
【図６】
2009040570.tif 000008
【図７】
2009040570.tif 000009
【図８】
2009040570.tif 000010